(57)【要約】【課題】左右風向変更羽根の回動ずれが小さい空気調和機の風向制御方法を提供する。【解決手段】左右風向変更羽根（図示せず）の回動方向が前回の回動方向と反転する場合に、左右風向変更羽根が設定された風向に到達するまでの羽根角度制御値に所定の補正値を加算し、左右風向変更羽根を前回の回動方向と反転方向に回動させ、設定された風向に到達した後に、所定の補正値の半分の値で、左右風向変更羽根を、今回の回動方向と反転方向に回動させるもので、所定の補正値を、左右風向変更羽根を回動駆動するギア部（図示せず）の遊び分にすれば、同一方向或いは反転した場合どちらにおいても同一の羽根角度を設定できるとともに、左右風向変更羽根が風圧を受けたときの、回動角度のずれを半分に押さえられる。【選択図】図２
2008145031.tif 000002
【特許請求の範囲】
【請求項１】
空気調和機の吹き出し口に配置されその吹き出し口から吹き出る空気の左右の風向を制御する左右風向変更羽根の回動方向が前回の回動方向と反転する場合に、前記左右風向変更羽根が設定された風向に到達するまでの羽根角度制御値に所定の補正値を加算し、前記左右風向変更羽根を前回の回動方向と反転方向に回動させ、設定された風向に到達した後に、前記所定の補正値の半分の値で、前記左右風向変更羽根を、今回の回動方向と反転方向に回動させる空気調和機の風向制御方法。
【請求項２】
左右風向変更羽根の回動方向が前回の回動方向と同一方向の場合は、前記左右風向変更羽根が設定された風向に到達した後に、所定の補正値の半分の値で今回の回動方向と反転方向に回動させる請求項１に記載の空気調和機の風向制御方法。
【請求項３】
左右風向変更羽根が設定された風向に到達した後に、所定の補正値の半分の値で今回の回動方向と反転方向に回動した場合、次回回動において、前記左右風向変更羽根を羽根角度制御値に前記所定の補正値の半分の値を加算し回動させ、設定した風向に到達した後に、前記所定の補正値の半分の値で今回の回動方向と反転方向に回動させる請求項１又は２に記載の空気調和機の風向制御方法。
【請求項４】
熱交換された空気を吹き出す吹き出し口と、前記吹き出し口に配置され左右の風向を制御する複数枚の羽根とそれらを連結する連結桟からなる左右風向変更羽根を有し、前記左右風向変更羽根を、請求項１〜３のいずれか１項に記載の空気調和機の風向制御方法で回動制御することを特徴とする空気調和機。
【発明の詳細な説明】
【技術分野】
【０００１】
本発明は、空気調和機の吹き出し口から吹き出される空気の向きを制御する空気調和機の風向制御方法及び空気調和機に関するものである。
【背景技術】
【０００２】
従来、この種の空気調和機の風向制御方法として、空気調和機に設けられ左右方向に往復回動する左右風向変更羽根を設け、その左右風向変更羽根を制御し居住者の快適性を向上させるようにしたものがある（例えば、特許文献１参照）。左右風向変更羽根を回動するには、駆動部と左右風向変更羽根を接続するギア部が必要で、また、ギア内部の構成部品には動作を円滑にするため遊びが必要不可欠である。
【０００３】
また、左右風向変更羽根の回動角度を設定するに際し、設定値の通り左右風向変更羽根を回動させても、ギア部に遊びがあるため、同一方向に回動する場合と回動方向が反転した場合とで、羽根の角度にズレが生じるという課題がった。この課題を解決するために、左右風向変更羽根が同一方向に回動した場合と、回動方向が反転した場合どちらにおいても同一の羽根角度を設定することを可能としたものがある（例えば、特許文献２参照）。
【特許文献１】特開平８−５４１３８号公報
【特許文献２】特開２００５−１８０７３４号公報
【発明の開示】
【発明が解決しようとする課題】
【０００４】
しかしながら、上記従来の空気調和機の風向制御方法では、ギアの遊び分を補正するので左右風向変更羽根が同一方向に回動しても、反転した場合どちらにおいても同一の角度を設定することは可能であるが、空気調和機に内蔵されたファンが回転すると、それにより左右風向変更羽根が風圧を受け、それが原因でギアの遊びのある方向にあそび分だけ左右風向変更羽根がずれてしまうといった課題があった。
【０００５】
本発明は、このような従来の課題を解決するものであり、左右風向変更羽根が設定風向からずれ難い空気調和機の風向制御方法及び空気調和機を提供することを目的とする。
【課題を解決するための手段】
【０００６】
上記従来の課題を解決するために、本発明の空気調和機の風向制御方法は、空気調和機の吹き出し口に配置されその吹き出し口から吹き出る空気の左右の風向を制御する左右風向変更羽根の回動方向が前回の回動方向と反転する場合に、前記左右風向変更羽根が設定された風向に到達するまでの羽根角度制御値に所定の補正値を加算し、前記左右風向変更羽根を前回の回動方向と反転方向に回動させ、設定された風向に到達した後に、前記補正値の半分の値で、前記左右風向変更羽根を、今回の回動方向と反転方向に回動させるもので、所定の補正値を、左右風向変更羽根を回動駆動するギア部の遊び分に相当するようにすれば、左右風向変更羽根が同一方向に回動した場合と回動方向が反転した場合どちらにおいても同一の羽根角度を設定することができるとともに、空気調和機のファンが回転することによって風圧を受け、ギア部の遊び分だけ左右風向変更羽根の角度がずれる可能性があったのを、前回と回動方向が反転した場合はその半分のずれに押さえることが可能となる。
【０００７】
また、本発明の空気調和機は、熱交換された空気を吹き出す吹き出し口と、前記吹き出し口に配置され左右の風向を制御する複数枚の羽根とそれらを連結する連結桟からなる左右風向変更羽根を有し、前記左右風向変更羽根を、請求項１〜３のいずれか１項に記載の
空気調和機の風向制御方法で回動制御するもので、左右風向変更羽根が同一方向に回動した場合と回動方向が反転した場合どちらにおいても同一の羽根角度を設定することができるとともに、空気調和機のファンが回転することによって、左右風向変更羽根が風圧を受けても、ギア部の遊び分による回動ずれを半分に抑えることができる。
【発明の効果】
【０００８】
本発明の空気調和機の風向制御方法は、左右風向変更羽根の回動方向が、前回と同一方向に回動した場合と、反転した場合どちらにおいても同一の羽根角度を設定することができると共に、所定の補正値をギア部の遊び分とすることで、左右風向変更羽根の角度のずれを半分に押さえることができる。
【発明を実施するための最良の形態】
【０００９】
第１の発明は、空気調和機の吹き出し口に配置されその吹き出し口から吹き出る空気の左右の風向を制御する左右風向変更羽根の回動方向が前回の回動方向と反転する場合に、前記左右風向変更羽根が設定された風向に到達するまでの羽根角度制御値に所定の補正値を加算し、前記左右風向変更羽根を前回の回動方向と反転方向に回動させ、設定された風向に到達した後に、前記補正値の半分の値で、前記左右風向変更羽根を、今回の回動方向と反転方向に回動させるもので、所定の補正値を、左右風向変更羽根を回動駆動するギア部の遊び分に相当するようにすれば、左右風向変更羽根が同一方向に回動した場合と回動方向が反転した場合どちらにおいても同一の羽根角度を設定することができるとともに、空気調和機のファンが回転することによって風圧を受け、ギア部の遊び分だけ左右風向変更羽根の角度がずれる可能性があったのを、前回と回動方向が反転した場合はその半分のずれに押さえることが可能となる。
【００１０】
第２の発明は、特に、第１の発明の左右風向変更羽根の回動方向が前回の回動方向と同一方向の場合は、前記左右風向変更羽根が設定された風向に到達した後に、補正値の半分の値で今回の回動方向と反転方向に回動させるもので、ファンが回転することによって風圧を受け、ギア部の遊び分だけ左右風向変更羽根の角度がずれる可能性があったのを、前回と回動方向が同一方向でもその半分のずれに押さえることが可能となる。
【００１１】
第３の発明は、特に、第１又は第２の発明の左右風向変更羽根が設定された風向に到達した後に、補正値の半分の値で今回の回動方向と反転方向に回動した場合、次回回動において、前記左右風向変更羽根を羽根角度制御値に前記補正値の半分の値を加算し回動させ、設定した風向に到達した後に、前記補正値の半分の値で今回の回動方向と反転方向に回動させるもので、複数回風向を変更した場合でも、回転方向によらず、同一の羽根角度を設定することが可能となると共に、ギア部の遊び分だけ左右風向変更羽根の角度がずれる可能性があったのを、その半分のずれに押さえることが可能となる。
【００１２】
第４の発明は、熱交換された空気を吹き出す吹き出し口と、前記吹き出し口に配置され左右の風向を制御する複数枚の羽根とそれらを連結する連結桟からなる左右風向変更羽根を有し、前記左右風向変更羽根を、請求項１〜３のいずれか１項に記載の空気調和機の風向制御方法で回動制御するもので、左右風向変更羽根が同一方向に回動した場合と回動方向が反転した場合どちらにおいても同一の羽根角度を設定することができるとともに、空気調和機のファンが回転することによって、左右風向変更羽根が風圧を受けても、ギア部の遊び分による回動ずれを半分に抑えることができる。
【００１３】
以下本発明の実施の形態について図面を参照しながら説明する。なお、下記実施の形態によって本発明が限定されるものではない。
【００１４】
（実施の形態１）
図１は、本発明の第１の実施の形態における空気調和機の風向制御方法を示すブロック図、図２は、同空気調和機の風向制御方法を示すフローチャートである。
【００１５】
図１において、本実施の形態における空気調和機の風向制御方法を用いた空気調和機（図示せず）は、熱交換された空気を吹き出す吹き出し口（図示せず）と、前記吹き出し口に配置され左右の風向を制御する複数枚の羽根（図示せず）とそれらを連結する連結桟（図示せず）からなる左右風向変更羽根（図示せず）と、ギア部（図示せず）を介して前記左右風向変更羽根を設定風向方向に回動駆動する左右風向変更羽根駆動手段５と、空気調和機の運転を遠隔操作するリモコン（図示せず）などを通して、使用者によって指示された風向へ前記左右風向変更羽根を回動させる羽根角度制御値を前記左右風向変更羽根駆動手段５に発信する制御部と、制御部に接続されリモコンからの信号を受ける受信部１と、左右風向変更羽根の前回回動動作において設定された風向に到達後、所定の補正値の半分の値で回転方向と反転方向に回動していたかを判断する前回駆動方法判定手段２と、左右風向変更羽根の回動方向が反転するか否か判定する左右風向変更羽根反転判定手段３と、設定された風向に到達するまでの左右風向変更羽根の制御値を決定する左右風向変更羽根角度制御値決定手段４と、左右風向変更羽根が設定された風向に到達したかを判断する設定風向到達判定手段６と、設定された風向に到達した後、所定の補正値の半分の値で、今回の回転方向と反転方向に駆動する設定風向到達後補正駆動手段７が設けられている。
【００１６】
次に、上記のように構成された空気調和機に適用される風向制御方法について、図２のフローチャートに基づいて説明する。
【００１７】
リモコンにより、左右風向変更羽根の風向変更指示がなされ、左右風向変更羽根駆動手段５により左右風向変更羽根が回動する場合、ステップ１（以下「ＳＰ１」という）で、前回駆動方法判定手段２により、前回回動時、設定された風向に到達した後に、所定の補正値の半分の値で回転方向と反転方向に回動しているかどうかの判定がおこなわれ、そうでなければＳＰ２、そうであればＳＰ５に進む。
【００１８】
ＳＰ２において、左右風向変更羽根反転判定手段３により、今回の左右風向変更羽根の回動方向が前回風向変更時と反転方向かどうかの判定が行われ、そうであればＳＰ３に、そうでなければＳＰ４に進む。
【００１９】
ＳＰ３で、左右風向変更羽根角度制御値決定手段４で決定された羽根角度制御値Ｈに所定の補正値ｈが加えられ、前回と反転方向に回動が行われ、ＳＰ６で、設定風向到達判定手段６で、左右風向変更羽根が設定された風向に到達したかを判定した後、設定風向到達後補正駆動手段７で、今回回動方向と反転方向に、所定の補正値の半分の回動を行なう。
【００２０】
ＳＰ４において、羽根角度制御値Ｈ分だけ前回と同一方向に回動が行われ、ＳＰ６に進む。ＳＰ５において、羽根角度制御値Ｈに、所定の補正値の半分の値（ｈ／２）が加えられ、設定回転方向に回動が行われ、ＳＰ６に進む。
【００２１】
なお、上記所定の補正値は、左右風向変更羽根と左右風向変更羽根駆動手段５との間に介されたギア部の遊び分になるように設定している。
【産業上の利用可能性】
【００２２】
以上のように、本発明にかかる空気調和機の風向制御方法は、左右風向変更羽根が同一方向に回動した場合と回動方向が反転した場合どちらにおいても同一の羽根角度を設定することができるとともに、ファンが回転することによって風圧を受け、ギア部の遊び分だけ左右風向変更羽根の角度がずれる可能性があったのを、その半分のずれに押さえることが可能となるので左右風向変更羽根を有する空気調和機に適用できる。
【図面の簡単な説明】
【００２３】
【図１】本発明の実施の形態１における空気調和機の風向制御方法を示すブロック図
【図２】同空気調和機の風向制御方法を示すフローチャート
【符号の説明】
【００２４】
１  受信部
２  前回駆動方法判定手段
３  左右風向変更羽根反転判定手段
４  左右風向変更羽根角度制御値決定手段
５  左右風向変更羽根駆動手段
６  設定風向到達判定手段
７  設定風向到達後補正駆動手段
【図１】
2008145031.tif 000003
【図２】
2008145031.tif 000004